(57)【要約】【課題】  ピット内に水が溜まったとき、ピット内の制御盤に供給されている一次側電源電圧を遮断して、建屋側電源設備などに悪影響が出ないようにするとともに、ピット内に入った作業員の安全を確保する。【解決手段】  ピット５内が浸水し、浸水感知センサ７から浸水検知信号が出力されているとき、遮断指令発生装置２１によって、建屋側電源設備６の建屋側ブレーカ２０を遮断状態にして、建屋側電源設備６から一次側電源電圧が出力されないようにし、電源ライン１３を非活性状態にするとともに、制御盤ブレーカ２２を遮断状態にして、制御装置２３に対する一次側電源電圧の供給を停止する。【選択図】      図１
2005272036.tif 000002
【特許請求の範囲】
【請求項１】
昇降路内またはピット内に制御盤を設置して、昇降路外またはピット外に配置された建屋側電源設備から電源ライン上に出力される一次側電源電圧を前記制御盤に導き、この制御盤によって巻上機を駆動制御して乗りかごを昇降／停止するエレベータシステムにおいて、
前記昇降路の壁面または前記ピット内に配置され、浸水を検知したときに浸水検知信号を出力する浸水感知センサと、
この浸水感知センサから浸水検知信号が出力されたとき、前記建屋側電源設備に設置されている建屋側ブレーカを遮断状態にして、前記電源ラインを非活性状態にする遮断指令発生装置と、
を備えたことを特徴とするエレベータシステム。
【請求項２】
昇降路内またはピット内に制御盤を設置して、昇降路外またはピット外に配置された建屋側電源設備から電源ライン上に出力される一次側電源電圧を前記制御盤に導き、この制御盤によって巻上機を駆動制御して乗りかごを昇降／停止するエレベータシステムにおいて、
前記昇降路の壁面または前記ピット内に配置され、浸水を検知したときに浸水検知信号を出力する浸水感知センサと、
この浸水感知センサから浸水検知信号が出力されたとき、警報音または異常メッセージを出して、前記建屋側電源設備に設置されている建屋側ブレーカの遮断を促す報知装置と、
を備えたことを特徴とするエレベータシステム。
【発明の詳細な説明】
【技術分野】
【０００１】
本発明は、小規模なビルやマンションなどに設置されるエレベータシステムに関する。
【背景技術】
【０００２】
小規模なビルやマンションなどに設置されるエレベータシステムの１つとして、昇降路内にエレベータの制御機器などを設置して、従来必要であった機械室などを無くし、建物の設計自由度を高めたマシンルームレスタイプのシステムが開発されている。
【特許文献１】特開平７−６１７２９号公報
【発明の開示】
【発明が解決しようとする課題】
【０００３】
ところで、このようなエレベータシステムが設置されるビルやマンションなどでは、大雨や洪水が発生したとき、ホール周りから昇降路内に水が流れ込んで、昇降路の底にあるピット内に溜まり、ピット内に設置されている制御機器に悪影響を与えることがあった。
【０００４】
このため、このようなビルやマンションでは、大雨や洪水が発生し、ホール周りから昇降路内に水が流れ込む恐れがあるとき、ピット内に設置されている制御盤を操作して、制御盤内のブレーカを遮断し、ピット内に水が溜まっても、ピット内に設置された巻上機、制御盤などに悪影響が出ないようにしている。
【０００５】
しかしながら、このようなエレベータシステムが設置されている小規模なビルやマンションなどでは、ブレーカを遮断しても、建屋側からピット内に電源電圧を供給する活線が存在していることが多い。
【０００６】
このため、ブレーカを遮断しても、ピット内に溜まった水により、活線をショートして、建屋側の電源設備に損傷を与えてしまうのみならず、ピット内に設置された巻上機、制御盤などの復旧を行うとき、活線を介して供給されている２００Ｖ、４００Ｖという高い電源電圧により、感電事故などを引き起こす恐れがあった。
【０００７】
本発明は上記の事情に鑑み、請求項１では、ピット内に水が溜まったとき、建屋側の建屋側電源設備からピット内の制御盤に供給されている一次側電源電圧を遮断して、建屋側電源設備などに悪影響が出るのを防止することができるとともに、ピット内に入った作業員の安全を確保することができるエレベータシステムを提供することを目的としている。
【０００８】
また、請求項２では、ピット内に水が溜まったとき、管理者などにピット内が浸水していることを知らせて、建屋側ブレーカの遮断を促し、建屋側の建屋側電源設備などに悪影響が出るのを防止することができるとともに、ピット内に入った作業員の安全を確保することができるエレベータシステムを提供することを目的としている。
【課題を解決するための手段】
【０００９】
上記の目的を達成するために本発明は、請求項１では、昇降路内またはピット内に制御盤を設置して、昇降路外またはピット外に配置された建屋側電源設備から電源ライン上に出力される一次側電源電圧を前記制御盤に導き、この制御盤によって巻上機を駆動制御して乗りかごを昇降／停止するエレベータシステムにおいて、前記昇降路の壁面または前記ピット内に配置され、浸水を検知したときに浸水検知信号を出力する浸水感知センサと、この浸水感知センサから浸水検知信号が出力されたとき、前記建屋側電源設備に設置されている建屋側ブレーカを遮断状態にして、前記電源ラインを非活性状態にする遮断指令発生装置とを備えたことを特徴としている。
【００１０】
上記の構成によれば、ピット内に水が溜まったとき、建屋側の建屋側電源設備からピット内の制御盤に供給されている一次側電源電圧を遮断して、建屋側電源設備などに悪影響が出ないようにするとともに、ピット内に入った作業員の安全を確保する。
【００１１】
請求項２では、昇降路内またはピット内に制御盤を設置して、昇降路外またはピット外に配置された建屋側電源設備から電源ライン上に出力される一次側電源電圧を前記制御盤に導き、この制御盤によって巻上機を駆動制御して乗りかごを昇降／停止するエレベータシステムにおいて、前記昇降路の壁面または前記ピット内に配置され、浸水を検知したときに浸水検知信号を出力する浸水感知センサと、この浸水感知センサから浸水検知信号が出力されたとき、警報音または異常メッセージを出して、前記建屋側電源設備に設置されている建屋側ブレーカの遮断を促す報知装置とを備えたことを特徴としている。
【００１２】
上記構成によれば、ピット内に水が溜まったとき、管理者などにピット内が浸水していることを知らせて、建屋側ブレーカの遮断を促し、建屋側の建屋側電源設備などに悪影響が出ないようにするとともに、ピット内に入った作業員の安全を確保する。
【発明の効果】
【００１３】
以上説明したように本発明によれば、ピット内に水が溜まったとき、建屋側の建屋側電源設備からピット内の制御盤に供給されている一次側電源電圧を遮断して、建屋側電源設備などに悪影響が出るのを防止することができるとともに、ピット内に入った作業員の安全を確保することができる。
【００１４】
また、ピット内に水が溜まったとき、管理者などにピット内が浸水していることを知らせて、建屋側ブレーカの遮断を促すことによって、建屋側の建屋側電源設備などに悪影響が出るのを防止することができるとともに、ピット内に入った作業員の安全を確保することができる。
【発明を実施するための最良の形態】
【００１５】
図１は本発明によるエレベータシステムの第１の実施形態を示す概略構成図である。
【００１６】
この図に示すエレベータシステム１ａは、ビルやマンションなどの建屋内に形成された昇降路２内に昇降自在に配置される乗りかご３と、建屋側にある各場所のうち、浸水などの恐れが無い場所に設置され、昇降路２の底面に形成されたピット５側から信号ライン４上に送出された各指令に応じて、ピット５側に対する一次側電源電圧の供給、停止を行う建屋側電源設備６と、ピット５内に配置され、大雨、洪水などにより、ピット５内に水が溜まったとき、これを検知して、浸水検知信号を出力する浸水感知センサ７と、ピット５内に配置され、浸水感知センサ７の検出結果に基づき、建屋側電源設備６を制御しながら、建屋側の各ホール８に設けられた各呼び入力装置９の操作内容、乗りかご３内に設けられた行先階入力装置１０などの操作内容、予め設定されている運転パターンなどに応じて、駆動電圧を生成する制御盤１１と、ピット５内などに配置され、制御盤１１から出力される駆動電圧に応じた駆動力を発生して、乗りかご３を昇降、停止する巻上機１２とを備えている。そして、浸水感知センサ７によって浸水が検知されていないとき、建屋側電源設備６から一次側電源電圧を出力しながら、制御盤１１を動作して、建屋側の各ホール８に設けられた各呼び入力装置９の操作内容、乗りかご３内に設けられた行先階入力装置１０などの操作内容、予め設定されている運転パターンなどに応じて、乗りかご３を昇降、停止し、利用者を運ぶ。また、浸水感知センサ７によって浸水が検知されたとき、建屋側電源設備６から一次側電源電圧の出力を停止して、建屋側電源設備６と、制御盤１１との間に敷設された電源ライン１３のショートを防止し、ピット５内に入った作業員が感電しないようにしている。
【００１７】
乗りかご３は、昇降路２内に昇降自在に配置される乗りかご本体１４と、乗りかご本体１４内に配置され、利用者によって操作されたとき、操作内容に応じた行先階指示を出して、制御盤１１に行先階登録を行わせる行先階入力装置１０と、乗りかご本体１４の荷重などを検出する荷重センサ１５と、乗りかご本体１４に設けられたドア１６を開閉するドア制御装置１７とを備えており、巻上機１２によって走行、停止されるロープ１８により、昇降、停止される。また、行先階入力装置１０の操作内容を制御盤１１に供給ながら、制御盤１からの指示などに基づき、ドア制御装置１７にドア１６を開閉する。
【００１８】
また、建屋側電源設備６は、図２に示すように、制御盤１１から信号ライン４上に通電指令が出力されたとき、導通状態となり、また制御盤１１から信号ライン４上に遮断指令が出力されたとき、遮断状態となる建屋側ブレーカ２０を備えている。そして、制御盤１１から通電指令が出力されたとき、建屋側ブレーカ２０を導通状態にして、商用電源１９→建屋側ブレーカ２０→電源ライン１３→制御盤１１なる経路で、制御盤１１に一次側電源電圧を供給し、また制御盤１１から遮断指令が出力されているとき、建屋側ブレーカ２０を遮断状態にして、制御盤１１に対する一次側電源電圧の供給を停止する。
【００１９】
また、浸水感知センサ７は、ピット５の底面から所定の高さとなるように、ピット５の壁面に取り付けられており、大雨、洪水などにより、ピット５内に水が溜まったとき、これを検知して、浸水検知信号を生成し、制御盤１１に供給する。
【００２０】
制御盤１１は、図２に示すように、建屋側の各ホール８に設けられた各呼び入力装置９の操作内容、乗りかご３内に設けられた行先階入力装置１０などの操作内容、予め設定されている運転パターンなどに応じて、巻上機１２を駆動して、乗りかご３を昇降、停止する制御装置２３と、通電指令が入力されているとき、電源ライン１３を介して供給された一次側電源電圧を制御装置２３に供給し、また遮断指令が入力されているとき、制御装置２３に対する一次側電源電圧の供給を停止する制御盤ブレーカ２２と、浸水感知センサ７から浸水検知信号が出力されていないとき、通電指令を生成し、制御盤ブレーカ２２と建屋側ブレーカ２０とを導通状態にして、電源ライン１３を介して供給される一次側電源電圧を制御装置２３に供給し、また浸水感知センサ７から浸水検知信号が出力されているとき、遮断指令を生成し、制御盤ブレーカ２２と建屋側ブレーカ２０とを遮断状態にして、建屋側電源設備６から一次側電源電圧が出力されないようにし、電源ライン１３を非活性状態にするとともに、制御装置２３に対する一次側電源電圧の供給を停止する遮断指令発生装置２１とを備えている。
【００２１】
そして、ピット５内が浸水していないとき、遮断指令発生装置２１から通電指令を出力して、建屋側電源設備６の建屋側ブレーカ２０と、制御盤１１の制御盤ブレーカ２２とを導通状態にし、商用電源１９→建屋側ブレーカ２０→電源ライン１３→制御盤ブレーカ２２→制御装置２３なる経路で、制御装置２３に一次側電源電圧を供給して、巻上機１２を駆動する。また、ピット５内が浸水し、浸水感知センサ７から浸水検知信号が出力されているとき、遮断指令発生装置２１から遮断指令を出力して、制御盤ブレーカ２０と建屋側ブレーカ２２とを遮断状態にし、建屋側電源設備６から一次側電源電圧が出力されないようにして、電源ライン１３を非活性状態にするとともに、制御装置２３に対する一次側電源電圧の供給を停止する。
【００２２】
このように、この実施形態では、ピット５内が浸水し、浸水感知センサ７から浸水検知信号が出力されているとき、遮断指令発生装置２１によって、建屋側電源設備６の建屋側ブレーカ２０を遮断状態にして、建屋側電源設備６から一次側電源電圧が出力されないようにし、電源ライン１３を非活性状態にするとともに、制御盤ブレーカ２２を遮断状態にして、制御装置２３に対する一次側電源電圧の供給を停止するようにしているので、ピット５内に水が溜まったとき、建屋側の建屋側電源設備６からピット５内の制御盤１１に供給されている一次側電源電圧を遮断して、建屋側電源設備６などに悪影響が出ないようにすることができるとともに、ピット５内に入った作業員の安全を確保することができる。
【００２３】
図３は本発明によるエレベータシステムの第２の実施形態を示す概略構成図である。なお、この図においては、図１の各部と対応する部分に同じ符号が付してある。
【００２４】
この図に示すエレベータシステム１ｂが図１に示すエレベータシステム１ａと異なる点は、建屋の管理人室、監視室などに設置された監視盤３１に、ブザーなどによって構成される警報器３２と、警報内容を表示する表示器３３とを設け、浸水感知センサ７から浸水検知信号が出力され、制御盤１１内に設けられた遮断指令発生装置２１によって、制御盤ブレーカ２２が遮断状態にされ、制御装置２３に対する一次側電源電圧の供給が停止したとき、浸水感知センサ７→信号ライン３４→警報器３２、表示器３３なる経路で、警報器３２と、表示器３３とに浸水検知信号を供給して、警報器３２から警報音を出し、ピット５内が浸水していることを管理者に知らせるとともに、表示器３３上に予め設定されているメッセージ、例えば図４に示すように、“エレベータピットが浸水しました。電源をカットして下さい。”というメッセージを表示し、管理者に建屋側電源設備６の建屋側ブレーカ２０を遮断するようにしたことである。
【００２５】
このように、この実施形態では、浸水感知センサ７から浸水検知信号が出力され、遮断指令発生装置２１によって、制御盤ブレーカ２２が遮断状態にされて、制御装置２３に対する一次側電源電圧の供給が停止したとき、警報器３２から警報音を出して、ピット５内が浸水していることを管理者に知らせるとともに、表示器３３上に予め設定されているメッセージを表示し、管理者に建屋側電源設備６の建屋側ブレーカ２０を遮断するようにしているので、ピット５内に水が溜まったとき、管理者などにピット５内が浸水していることを知らせて、建屋側ブレーカ２０の遮断を促すことができる。
【００２６】
そして、管理者によって、ピット５内に溜まった水の状態が確認され、建屋側電源設備６などに対し、何らかの悪影響があると判断されたとき、建屋側ブレーカ２０を遮断して、建屋側電源設備６から一次側電源電圧の出力を停止し、建屋側の建屋側電源設備６などに悪影響が出ないようにするとともに、ピット５内に入った作業員の安全を確保することができる。
【００２７】
また、上述した各実施形態では、制御盤１１などをピット５内に設置するようにしているが、このような制御盤１１などをピット５以外の場所、例えば昇降路２の壁面などに設置しているときには、浸水感知センサ７を昇降路２の壁面などに配置し、大雨、洪水などにより、ホールドア開口部などから昇降路２内に水が流れ込み、浸水感知センサ７によって、これが検知されたとき、建屋側電源設備６の建屋側ブレーカ２０を遮断するようにしても良い。
【００２８】
このようにしても、上述した各実施形態と同様に、ホールドア開口部などから昇降路２内に水が流れ込んだとき、建屋側の建屋側電源設備６からピット５内の制御盤１１に供給されている一次側電源電圧を遮断して、建屋側電源設備６などに悪影響が出ないようにすることができるとともに、ピット５内に入った作業員の安全を確保することができる。
【図面の簡単な説明】
【００２９】
【図１】本発明によるエレベータシステムの第１の実施形態を示す概略構成図である。
【図２】図１に示すエレベータシステムの回路構成例を示すブロック図である。
【図３】本発明によるエレベータシステムの第２の実施形態を示す概略構成図である。
【図４】図３に示す表示器の表示例を示す模式図である。
【符号の説明】
【００３０】
１ａ、１ｂ：エレベータシステム
２：昇降路
３：乗りかご
４：信号ライン
５：ピット
６：建屋側電源設備
７：浸水感知センサ
８：ホール
９：呼び入力装置
１０：行先階入力装置
１１：制御盤
１２：巻上機
１３：電源ライン
１４：乗りかご本体
１５：荷重センサ
１６：ドア
１７：ドア制御装置
１８：ロープ
１９：商用電源
２０：建屋側ブレーカ
２１：遮断指令発生装置
２２：制御盤ブレーカ
２３：制御装置
３１：監視盤
３２：警報器（報知装置）
３３：表示器（報知装置）
【図１】
2005272036.tif 000003
【図２】
2005272036.tif 000004
【図３】
2005272036.tif 000005
【図４】
2005272036.tif 000006